(57)【特許請求の範囲】
【請求項１】
液晶表示パネル上に実装され、前記液晶表示パネルにゲート信号を供給するためのゲートドライブ集積回路と、
前記液晶表示パネルにデータ電圧を供給するためのデータドライブ集積回路と
を備えるラインオンガラス型液晶表示装置において、
前記データドライブ集積回路は、
前記データ電圧が供給される有効出力チャンネル及び前記有効出力チャンネルを除くダミー出力チャンネルを備える出力回路と、
前記ダミー出力チャンネルのうちの少なくとも何れか一つに、共通電圧を選択的に供給し、前記有効出力チャンネルに、データ電圧を選択的に供給するためのチャンネル選択部と
を含み、
前記チャンネル選択部は、
チャンネル選択信号が供給される選択信号受信部と、
前記選択信号受信部からのチャンネル選択信号に応じて、データ電圧生成のためのデジタルデータ及び共通電圧生成のためのデジタル共通信号のうちの何れか一つを選択するための第１及び第２のＡＮＤゲートと
を含むことを特徴とするラインオンガラス型液晶表示装置。
【請求項２】
前記第１及び第２のＡＮＤゲートは、互いに反対となる論理値により駆動されることを特徴とする請求項１に記載のラインオンガラス型液晶表示装置。
【請求項３】
前記チャンネル選択部と出力回路との間に位置し、前記チャンネル選択部により選択されたデジタル信号をアナログ信号に変換するためのデジタル／アナログ変換部をさらに備えることを特徴とする請求項１に記載のラインオンガラス型液晶表示装置。
【請求項４】
前記液晶表示パネルは、液晶を間において対面するように位置する薄膜トランジスタアレイ基板とカラーフィルターアレイ基板とを含み、前記ダミー出力チャンネルを介して供給される共通電圧は、前記カラーフィルターアレイ基板上に形成された共通電極に銀ドットを介して供給し、前記銀ドットは前記データドライブ集積回路それぞれのダミー出力チャンネルと対応するように前記液晶表示パネルに形成されることを特徴とする請求項１に記載のラインオンガラス型液晶表示装置。
【発明の詳細な説明】
【技術分野】
【０００１】
本発明は液晶表示装置に関し、特に画質低下を防止することができるラインオンガラス型液晶表示装置に関する。
【背景技術】
【０００２】
液晶表示装置は、電界を用いて誘電異方性を有する液晶の光透過率を調節することで画像を表示する。このため、液晶表示装置は、液晶セルがマトリクス状で配列された液晶表示パネルと、液晶表示パネルを駆動するための駆動回路を備える。
【０００３】
液晶表示パネルは、液晶セルが画素信号に応じて光透過率を調節することによって画像を表示する。
【０００４】
駆動回路は、液晶表示パネルのゲートラインを駆動するためのゲートドライバと、データラインを駆動するためのデータドライバと、ゲートドライバ及びデータドライバの駆動タイミングを制御するためのタイミング制御部と、液晶表示パネルと駆動回路の駆動に必要な電源信号を供給する電源部とを備える。
【０００５】
データドライバとゲートドライバは、多数個の集積回路（Ｉｎｔｅｇｒａｔｅｄ  Ｃｉｒｃｕｉｔ：以下、「ＩＣ」という）に分離され、チップ形態で作製される。集積化されたドライブＩＣのそれぞれは、ＴＣＰ（Ｔａｐｅ  Ｃａｒｒｉｅｒ  Ｐａｃｋａｇｅ）上でオープンされたＩＣ領域に実装され、且つ、ＣＯＦ（Ｃｈｉｐ  Ｏｎ  Ｆｉｌｍ）方式でＴＣＰのベースフィルム上に実装され、ＴＡＢ（Ｔａｐｅ  Ａｕｔｏｍａｔｅｄ  Ｂｏｎｄｉｎｇ）方式で液晶表示パネルと電気的に接続される。また、ドライブＩＣは、ＣＯＧ（Ｃｈｉｐ  Ｏｎ  Ｇｌａｓｓ）方式で液晶表示パネル上に直接実装されることもある。
【０００６】
ＣＯＧ方式で液晶表示パネルに実装されるドライブＩＣは、ＦＰＣと液晶表示パネルに形成されるラインオンガラス（Ｌｉｎｅ  Ｏｎ  Ｇｌａｓｓ：以下、「ＬＯＧ」という）型信号ラインによりメインＰＣＢに実装されたタイミング制御部からの制御信号及び画素データと電源部からの電源信号が供給される。
【０００７】
近年、ドライブＩＣがＴＣＰを介して液晶表示パネルと接続される場合にも、ＬＯＧ信号ラインを採択してＰＣＢを除去することによって、液晶表示装置が更に薄型化されるようにしている。特に、相対的に少ない信号を伝達するゲートＰＣＢを除去し、ゲートドライブＩＣにゲート制御信号及び電源信号を供給する信号ラインをＬＯＧ型で液晶表示パネル上に形成している。これにより、ＴＣＰに実装されたゲートドライブＩＣは、メインＰＣＢ→ＦＰＣ→データＰＣＢ→データＴＣＰ→ＬＯＧ信号ライン→ゲートＴＣＰを経由し、タイミング制御部からのゲート制御信号と電源部からの電源信号が供給される。
【０００８】
図１は、ゲートＰＣＢが除去された従来のＬＯＧ型液晶表示装置を示す図である。
【０００９】
図１に示すＬＯＧ型液晶表示装置は、タイミング制御部２２と電源部２４を含むメインＰＣＢ２０と、ＦＰＣ１８を介してメインＰＣＢ２０と接続されたデータＰＣＢ１６と、データドライブＩＣ１４が実装され、データＰＣＢ１６と液晶表示パネル６との間に接続されたデータＴＣＰ１２と、ゲートドライブＩＣ１０が実装され、液晶表示パネル６に接続されたゲートＴＣＰ８とを備える。
【００１０】
液晶表示パネル６は、液晶を間において合着された薄膜トランジスタアレイ基板２とカラーフィルターアレイ基板４とに区分され、薄膜トランジスタアレイ基板２のゲートラインＧＬとデータラインＤＬの交差で定義される領域毎に薄膜トランジスタにより独立的に駆動される液晶セルが備えられる。薄膜トランジスタは、ゲートラインＧＬからのスキャン信号に応答し、データラインＤＬからの画素信号を液晶セルに供給する。
【００１１】
データドライブＩＣ１４は、データＴＣＰ１２及び液晶表示パネル６のデータパッド部を経由してデータラインＤＬと接続されることにより、データラインＤＬにデータ信号を供給する。ゲートドライブＩＣ１０は、ゲートＴＣＰ８及び液晶表示パネル６のゲートパッド部を経由してゲートラインＧＬと接続されることにより、ゲートラインＧＬにゲート信号を供給する。
【００１２】
ＬＯＧ信号ライン群２６は、通常ゲートロウ電圧、ゲートハイ電圧、共通電圧など電源部２４より供給される電源信号と、タイミング制御部２２より供給されるゲート制御信号のそれぞれを供給する信号ラインから構成される。
【００１３】
一方、カラーフィルターアレイ基板４のエッジ領域には、カラーフィルターアレイ基板４に形成された共通電極に共通電圧を供給するため、図２に示すように、多数の銀（Ａｇ）ドット３０ａ〜３０ｄ（以下、第１〜第４の銀ドット３０ａ〜３０ｄという）が形成される。即ち、共通ラインＬＶＣＯＭからの共通電圧ＶＣＯＭは、第１〜第４の銀ドット３０ａ〜３０ｄを介してカラーフィルターアレイ基板４の共通電極に供給される。しかしながら、このような従来のカラーフィルターアレイ基板４のエッジ領域に一つずつ位置する第１〜第４の銀ドット３０ａ〜３０ｄを介して共通電圧ＶＣＯＭを印加することにより、第１〜第４の銀ドット３０ａ〜３０ｄと隣接する領域への共通電極に印加される共通電圧ＶＣＯＭと第１〜第４の銀ドット３０ａ〜３０ｄと遠い距離に位置する共通電極への共通電圧ＶＣＯＭ間の差が発生する。即ち、従来においては、共通電圧ＶＣＯＭを供給できる部分が足りないことにより、画像を具現する場合、クロストーク（Ｃｒｏｓｓｔａｌｋ）およびグリニシュ（Ｇｒｅｅｎｉｓｈ）などの画質低下現象が発生してしまうという問題点があった。
【発明の開示】
【発明が解決しようとする課題】
【００１４】
よって、本発明は、上記のような問題点を解決するためになされたものであり、画質低下を防止できるラインオンガラス型液晶表示装置を提供することを目的としている。
【課題を解決するための手段】
【００１５】
上記の目的を達成するため、本発明は、液晶表示パネル上に実装され、前記液晶表示パネルにゲート信号を供給するためのゲートドライブ集積回路と、前記液晶表示パネルにデータ電圧を供給するためのデータドライブ集積回路とを備えるラインオンガラス型液晶表示装置において、前記データドライブ集積回路は、前記データ電圧が供給される有効出力チャンネル及び前記有効出力チャンネルを除くダミー出力チャンネルを備える出力回路と、前記ダミー出力チャンネルのうちの少なくとも何れか一つに、共通電圧を選択的に供給し、前記有効出力チャンネルに、データ電圧を選択的に供給するためのチャンネル選択部とを含み、前記チャンネル選択部は、チャンネル選択信号が供給される選択信号受信部と、前記選択信号受信部からのチャンネル選択信号に応じて、データ電圧生成のためのデジタルデータ及び共通電圧生成のためのデジタル共通信号のうちの何れか一つを選択するための第１及び第２のＡＮＤゲートとを含むことを特徴とする。
【００１７】
前記第１及び第２のＡＮＤゲートは、互いに反対となる論理値により駆動されることを特徴とする。
【００１８】
前記チャンネル選択部と出力回路間に位置し、前記チャンネル選択部により選択されたデジタル信号をアナルグ信号に変換するためのデジタル／アナログ変換部とを備えることを特徴とする。
【００１９】
前記液晶表示パネルは、液晶を間において対面するように位置する薄膜トランジスタアレイ基板とカラーフィルターアレイ基板を含み、前記ダミー出力チャンネルを介して供給される共通電圧は、前記カラーフィルターアレイ基板上に形成された共通電極に銀ドットを介して供給されることを特徴とする。
【発明の効果】
【００２０】
本発明に係るＬＯＧ型液晶表示装置は、データドライブＩＣそれぞれのダミー出力チャンネルが共通電圧供給ラインとして用いられることにより、液晶表示パネルに共通電圧を供給できる空間が多くなる。これにより、画像を具現する場合、クロストーク（Ｃｒｏｓｓｔａｌｋ）およびグリニシュ（Ｇｒｅｅｎｉｓｈ）などの画質低下を防止することができる。
【発明を実施するための最良の形態】
【００２１】
以下、図３〜図６を参照して、本発明の好ましい実施形態について説明する。
図３は、本発明の実施形態に係るＬＯＧ型液晶表示装置を示す図である。
図３に示したＬＯＧ型液晶表示装置は、タイミング制御部１２２と電源部１２４とを含むメインＰＣＢ１２０と、ＦＰＣ１１８を介してメインＰＣＢ１２０と接続されたデータＰＣＢ１１６と、データドライブＩＣ１１４が実装され、データＰＣＢ１１６と液晶表示パネル１０６との間に接続されたデータＴＣＰ１１２と、ゲートドライブＩＣ１１０が実装され、液晶表示パネル１０６に接続されたゲートＴＣＰ１０８とを備える。
【００２２】
液晶表示パネル１０６は、液晶を間において合着された薄膜トランジスタアレイ基板１０２とカラーフィルターアレイ基板１０４とに区分され、薄膜トランジスタアレイ基板１０２のゲートラインＧＬとデータラインＤＬの交差で定義される領域毎に薄膜トランジスタにより独立的に駆動される液晶セルが備えられる。薄膜トランジスタは、ゲートラインＧＬからのスキャン信号に応答し、データラインＤＬからの画素信号を液晶セルに供給する。
【００２３】
ＬＯＧ信号ライン群１２６は、通常、ゲートロウ電圧、ゲートハイ電圧など、電源部１２４から供給される電源信号と、タイミング制御部１２２から供給されるゲート制御信号のそれぞれを供給する信号ラインから構成される。
【００２４】
ゲートドライブＩＣ１１０は、ゲートＴＣＰ１０８及び液晶表示パネル１０６のゲートパッド部を経由してゲートラインＧＬと接続されることにより、ゲートラインＧＬにゲート信号を供給する。
【００２５】
データドライブＩＣ１１４は、データＴＣＰ１１２及び液晶表示パネル１０６のデータパッド部を経由してデータラインＤＬと接続されることにより、データラインＤＬにデータ電圧を供給すると共に、ダミー出力チャンネルを用い、液晶表示パネル１０６に共通電圧ＶＣＯＭを供給する。
【００２６】
データドライブＩＣ１１４を図４及び図５を参照して更に詳しく説明すると次のとおりである。
図４に示すように、データドライブＩＣ１１４は、タイミング制御部１２２からデータＲＧＢが入力されるデータレジスタ１４１と、サンプリングクロックを発生させるためのシフトレジスタ１４２と、シフトレジスタ１４２とデータラインＤＬ間に接続された、第１のラッチ回路１４３、第２のラッチ回路１４４、チャンネル選択部１４５、デジタル／アナログ変換器（Ｄｉｇｉｔａｌ  ｔｏ  Ａｎａｌｏｇ  Ｃｏｎｖｅｒｔｅｒ：以下、「ＤＡＣ」という）１４６及び出力回路１４７と、ＤＡＣ１４６と接続されたガンマ電圧供給部１４８とを備える。
【００２７】
データレジスタ１４１は、タイミング制御部１２２からのデジタルデータＲＧＢを第１のラッチ回路１４３に供給する。
【００２８】
シフトレジスタ１４２は、タイミング制御部１２２からのソーススタートパルスＳＳＰをソースサンプリングクロック信号ＳＳＣに応じてシフトさせ、サンプリング信号を発生させる。また、シフトレジスタ１４２は、ソーススタートパルスＳＳＰをシフトさせ、次の段のシフトレジスタ１４２にキャリ信号ＣＡＲを伝達する。
【００２９】
第１のラッチ回路１４３は、シフトレジスタ１４２から順次に入力されるサンプリング信号に応答し、データレジスタ１４１からのデジタルデータＲＧＢを順次にサンプリングする。
【００３０】
第２のラッチ回路１４４は、第１のラッチ回路１４３から入力されるデータをラッチした後、ラッチされたデータをタイミング制御部１２２からのソース出力イネーブル信号ＳＯＥに応答し、同時に出力する。
【００３１】
チャンネル選択部１４５は、外部から入力されるチャンネル選択信号に応答し、データラインＤＬにデータ電圧を供給するためのチャンネル及び液晶表示パネルに共通電圧を供給するためのチャンネルを選択することになる。
【００３２】
このため、チャンネル選択部１４５は、図５に示すように、チャンネル選択信号Ｐが供給されるオプションピンＯＰと、第１及び第２のＡＮＤゲート（ＡＮＤ  ＧＡＴＥ）１５２，１５４を含む。
【００３３】
オプションピンＯＰは、例えば、電圧源及び基底電圧源に選択的に接続され、２ビート２進論理値を有する。これにより、オプションピンＯＰを介してチャンネル選択部１４５に供給されるチャンネル選択信号Ｐは、“０”、“１”の値を有する。
【００３４】
第１のＡＮＤゲート１５２の第１端子には、デジタルデータＲＧＢが供給され、第２端子は、チャンネル選択信号Ｐが供給されるオプションピンＯＰと接続される。第２のＡＮＤゲート１５４の第１端子には、デジタル共通電圧信号ＤＶＣＯＭが供給され、第２端子は、チャンネル選択信号Ｐが供給されるオプションピンＯＰと接続される。ここで、第１のＡＮＤゲート１５２及び第２のＡＮＤゲート１５４は、互いに反対となる論理値により駆動することになる。
【００３５】
例えば、オプションピンＯＰを介して供給されるチャンネル選択信号Ｐが、“０”値を有すると、第１のＡＮＤゲート１５２はデジタルデータＲＧＢがＤＡＣ１４６に供給し、チャンネル選択信号Ｐが、“１”値を有すると第２のＡＮＤゲート１５４はデジタル共通電圧信号ＤＶＣＯＭをＤＡＣ１４６に供給する。
【００３６】
ＤＡＣ１４６は、第２のラッチ回路１４４からのデジタルデータＲＧＢをガンマ電圧供給部１４８からのガンマ電圧ＤＧＨ、ＤＧＬに変換する。ガンマ電圧ＤＧＨ、ＤＧＬは、デジタル入力データＲＧＢの諧調値のそれぞれに対応するアナログ電圧である。即ち、ＤＡＣ１４６によりデジタル共通電圧信号ＤＶＣＯＭは、アナログ共通電圧に変換され、デジタルデータＲＧＢは、アナログデータ電圧に変換され、出力回路１４７に供給される。
【００３７】
出力回路１４７は、データラインＤＬと連結される第１〜第ｍ個の有効出力チャンネルＡと、第ｍ＋１〜第ｎ個のダミー出力チャンネルＢを備える。即ち、第１〜第ｍ個の有効出力チャンネルＡは、正常的なアナログデータ電圧が印加され、第ｍ＋１〜第ｎ個のダミー出力チャンネルＢでは、ユーザの選択により共通電圧ＶＣＯＭが出力できるようにする。
【００３８】
このようにそれぞれのデータドライブＩＣ１１４のダミー出力チャンネルＢを介して液晶表示パネル１０６に供給される共通電圧ＶＣＯＭは、図６に示すように、銀ドット１３０を介してカラーフィルターアレイ基板１０４の共通電極に印加できるようにする。即ち、本発明においては、出力回路１４７のダミー出力チャンネルＢのうち少なくとも何れか一つは、共通電圧が供給される共通ラインＬＶＣＯＭとしての役割をすることができる。
【００３９】
このように、本発明の実施形態に係る液晶表示装置は、データドライブＩＣ１１４それぞれのダミー出力チャンネルＢが共通電圧に供給される共通ラインＬＶＣＯＭとして用いられることにより、液晶表示パネル１０６に印加される共通ラインＬＶＣＯＭを、データドライブＩＣ１１４ごとに少なくとも一つ以上備えることができる。よって、共通電圧ＶＣＯＭを供給できる空間が多くなることにより、位置による共通電圧の差を最小化することができる。これにより、画像を具現する場合、クロストーク（Ｃｒｏｓｓｔａｌｋ）、グリニシュ（Ｇｒｅｅｎｉｓｈ）などの画質低下現象を防止することができる。
【図面の簡単な説明】
【００４０】
【図１】従来のラインオンガラス型液晶表示装置の構成を示す図である。
【図２】共通ラインの共通電圧が銀ドットを介してカラーフィルターアレイ基板に供給されることを示す図である。
【図３】本発明の実施形態に係るラインオンガラス型液晶表示装置の構成を示す図である。
【図４】図３におけるデータドライブＩＣの構成を具体的に示す図である。
【図５】図４に示したデータドライブＩＣのチャンネル選択部の回路構成を示す図である。
【図６】データドライブＩＣを経由してカラーフィルターアレイ基板に共通電圧が供給されることを示す図である。
【符号の説明】
【００４１】
２２，１２２  タイミング制御部、２４，１２４  電源部、１０，１１０  ゲートドライブＩＣ、１４，１１４  データドライブＩＣ、４，１０４  カラーフィルターアレイ基板、２，１０２  薄膜トランジスタアレイ基板、６，１０６  液晶表示パネル、８，１０８  ゲートＴＣＰ、１２，１１４  データＴＣＰ、２０，１２０  メインＰＣＢ、１４１  データレジスタ、１４２  シフトレジスタ、１４３  第１のラッチ回路、１４４  第２のラッチ回路、１４５  チャンネル選択部、１４６  ＤＡＣ、１４７  出力回路。
【図１】
0004695027.tif 000002
【図２】
0004695027.tif 000003
【図３】
0004695027.tif 000004
【図４】
0004695027.tif 000005
【図５】
0004695027.tif 000006
【図６】
0004695027.tif 000007